(57)【要約】【課題】内視鏡管体を提供する。【解決手段】内視鏡管体は撮像装置、スプリングチューブ、抗張力ワイヤーおよび少なくとも一つの電線を備える。撮像装置は前端部および後端部に分けられ、撮像レンズおよび少なくとも一つの光源を有する。撮像レンズは前方を撮像するために撮像装置の前端部に位置付けられる。少なくとも一つの光源は前方に照明をあてるために撮像レンズの周りに位置付けられる。撮像装置は外壁が円弧状を呈し、撮像装置の前方に突出して形成された突出壁面を有する。スプリングチューブは一端が撮像装置の後端部に連結され、他端が所定装置に接続される。抗張力ワイヤーは一部分が撮像装置に連結され、別の一部分がスプリングチューブを貫通して所定装置に連結される。少なくとも一つの電線は一端が撮像装置に接続され、他端がスプリングチューブを貫通して所定装置に電気的に接続される。【選択図】図１
2018153623.tif 000002
【特許請求の範囲】
【請求項１】
撮像装置、スプリングチューブ、抗張力ワイヤーおよび少なくとも一つの電線を備え、
前記撮像装置は、カバー、前記カバーに配置された撮像レンズおよび少なくとも一つの光源を有し、前記撮像レンズは前方を撮像するために前記カバーの前端部に位置付けられ、少なくとも一つの前記光源は前方に照明をあてるために前記撮像レンズの周りに位置付けられ、前記カバーの外壁は直径が前端部から漸増し、後端部へ漸減する円弧状を呈し、前記カバーは前方に突出して形成された突出壁面を有し、前記突出壁面は前記撮像レンズに突出し、かつ前記撮像レンズおよび前記光源を取り込み、
前記スプリングチューブは、一端が前記撮像装置の後端部に連結され、他端が所定装置に接続され、
前記抗張力ワイヤーは、一部分が前記撮像装置に連結され、別の一部分が前記スプリングチューブを貫通して前記所定装置に連結され、
少なくとも一つの前記電線は一端が前記撮像装置に接続され、他端が前記スプリングチューブを貫通して前記所定装置に電気的に接続されることを特徴とする、
内視鏡管体。
【請求項２】
前記所定装置は、筒状スリーブおよび可撓性管部を有し、前記可撓性管部は一端が前記筒状スリーブに連結され、他端が操作グリップに接続され、かつ内部に複数の電線を有し、複数の前記電線は前記筒状スリーブおよび前記操作グリップに電気的に接続され、前記撮像装置は、さらに後端部から伸びて形成された連結部と、前記連結部に形成された第一ねじ山とを有し、前記筒状スリーブは一端に固定部材を有し、前記固定部材は一部分が前記筒状スリーブに入り込み、別の一部分が前記筒状スリーブに露出し、かつ第二ねじ山を有し、前記第二ねじ山は前記固定部材の前記筒状スリーブに露出した部位の外側に位置し、前記スプリングチューブは一端が前記第一ねじ山に締め付けられ、他端が前記第二ねじ山に締め付けられることを特徴とする請求項１に記載の内視鏡管体。
【請求項３】
前記筒状スリーブは、さらに内壁に内側壁面を有し、前記固定部材は前記内側壁面の一側に当接し、前記固定部材と前記筒状スリーブとは相互に締め付けられて固定され、前記可撓性管部は、前記筒状スリーブの前記内側壁面の他側に当接し、外壁が前記筒状スリーブの前記内壁に固定されることを特徴とする請求項２に記載の内視鏡管体。
【請求項４】
前記連結部は、二つの第一穿孔を有し、二つの前記第一穿孔は前記連結部の前後を貫通し、前記固定部材は二つの第二穿孔を有し、二つの前記第二穿孔は前記筒状スリーブの軸方向に沿って前記固定部材を貫通し、前記抗張力ワイヤーは環状を呈し、環状の前記抗張力ワイヤーは二つの前記第一穿孔および二つの前記第二穿孔を連絡するように配置されることを特徴とする請求項２に記載の内視鏡管体。
【請求項５】
さらにゴム部材を備え、前記ゴム部材は、前記スプリングチューブ、前記第一ねじ山および前記第二ねじ山の連結部位に分布するように配置されることを特徴とする請求項２に記載の内視鏡管体。
【請求項６】
前記スプリングチューブは、密接度の高いスプリングから構成され、湾曲する前の前記スプリングチューブはコイルが相互に密接するため、隙間がないことを特徴とする請求項１に記載の内視鏡管体。
【請求項７】
さらに可撓性内管を備え、前記可撓性内管は、前記スプリングチューブ内に配置されることを特徴とする請求項１に記載の内視鏡管体。
【請求項８】
前記所定装置は操作グリップを有し、少なくとも一つの前記電線は前記操作グリッに電気的に接続され、前記抗張力ワイヤーは前記操作グリップに連結されることを特徴とする請求項１に記載の内視鏡管体。
【発明の詳細な説明】
【技術分野】
【０００１】
本発明は、内視鏡に関し、詳しくは内視鏡管体に関するものである。
【背景技術】
【０００２】
特許文献１は構造が改良された内視鏡を開示している。該案は手持ちに適した内視鏡本体を備える。内視鏡本体はモニター画面、必要な機能ボタンおよび前端部に位置する信号接続用コネクターを有する。内視鏡の延長管部は信号接続用コネクターに差し込まれて連結され、内部に信号線を有する。信号線は延長管部の前端部のレンズに連結される。レンズの周縁および延長管部の管壁にはＬＥＤランプを配置するための隙間がある。
【０００３】
内視鏡のレンズは最先端に位置付けられるため、作動中の内視鏡のレンズが障害物を避けて持続的に前進する際、内視鏡のレンズを方向転換しなければならないという状況や、レンズが障害物の衝撃を受けて損壊するという状況がよくある。
これに対し、特許文献１は延長管部に複数のＬＥＤランプを配置することによって撮像中のレンズに補助光線を供給し、映像の品質を向上させることが特徴である。しかし、レンズを方向転換する際の利便性およびレンズの保護性にかかわる措置を考慮していないため、レンズを方向転換する際の利便性およびレンズの保護性には改善の余地がある。
【先行技術文献】
【特許文献】
【０００４】
【特許文献１】台湾Ｍ４８６９２２号公報
【発明の概要】
【発明が解決しようとする課題】
【０００５】
本発明はレンズに対する方向転換効果および保護性が比較的良好な内視鏡管体を提供することを主な目的とする。
【課題を解決するための手段】
【０００６】
上述した課題を解決するための内視鏡管体は撮像装置、スプリングチューブ、抗張力ワイヤーおよび少なくとも一つの電線を備える。撮像装置はカバー、カバーに配置された撮像レンズおよび少なくとも一つの光源を有する。撮像レンズは前方を撮像するためにカバーの前端部に位置付けられる。少なくとも一つの光源は前方に照明をあてるために撮像レンズの周りに位置付けられる。カバーの外壁は直径が前端部から漸増し、後端部へ漸減する円弧状を呈する。カバーは前方に突出して形成された突出壁面を有する。突出壁面は撮像レンズに突出し、かつ撮像レンズおよび光源を取り込む。スプリングチューブは一端が撮像装置の後端部に連結され、他端が所定装置に接続される。抗張力ワイヤーは一部分が撮像装置に連結され、別の一部分がスプリングチューブを貫通して所定装置に連結される。少なくとも一つの電線は一端が撮像装置に接続され、他端がスプリングチューブを貫通して所定装置に電気的に接続される。
【０００７】
内視鏡管体において、撮像装置はカバーの外壁が円弧状を呈し、かつカバーの前方に突出した突出壁面を有するため、方向変換効果および撮像レンズに対する保護性が比較的良好である。
【図面の簡単な説明】
【０００８】
【図１】本発明の第１実施形態による内視鏡管体を示す斜視図である。
【図２】本発明の第１実施形態による内視鏡管体を示す分解斜視図である。
【図３】本発明の第１実施形態による内視鏡管体の一部分を示す断面図である。
【図４】本発明の第１実施形態による内視鏡管体の作動状態を示す断面図である。
【図５】本発明の第２実施形態による内視鏡管体を示す斜視図である。
【図６】本発明の第２実施形態による内視鏡管体の一部分を示す断面図である。
【発明を実施するための形態】
【０００９】
以下、本発明による内視鏡管体を図面に基づいて説明する。
【００１０】
（第１実施形態）
図１から図３に示すように、本発明の第１実施形態による内視鏡管体１０は、撮像装置１１、スプリングチューブ２１、抗張力ワイヤー３１および少なくとも一つの電線４１から構成される。
本実施形態において、電線４１は複数である。複数の電線４１は従来の技術であるため、例として図面に一本で表示される。
【００１１】
撮像装置１１は、カバー１３、カバー１３に配置された撮像レンズ１７および少なくとも一つの光源１２を有する。撮像レンズ１７は前方を撮像するためにカバー１３の前端部に位置付けられる。少なくとも一つの光源１２は前方に照明をあてるために撮像レンズ１７の周りに位置付けられる。カバー１３の外壁は直径が前端部から漸増し、後端部へ漸減する円弧状を呈する。
カバー１３は前方に突出して形成された突出壁面１１３を有する。突出壁面１１３は撮像レンズ１７に突出し、かつ撮像レンズ１７および光源１２を取り込む。本実施形態において、カバー１３は円弧状を呈するため、移動中の撮像装置１１は方向転換が容易になり、何かに引っ掛かることが発生しにくい。
突出壁面１１３は撮像レンズ１７に突出し、かつ撮像レンズ１７および光源１２を取り込むような構造であるため、撮像レンズ１７が障害物に接触または衝突する際、先に障害物に接触する。一方、撮像の品質に影響を与えることを避けるために、撮像レンズ１７に突出した突出壁面１１３の長さは撮像レンズ１７の撮像を妨害しない範囲でなければならない。
【００１２】
スプリングチューブ２１は、一端が撮像装置１１の後端部に連結され、他端が所定装置６１に接続される。スプリングチューブ２１は密接度の高いスプリングから構成される。湾曲する前のスプリングチューブ２１はコイルが相互に密接するため、隙間がない。
本発明による内視鏡管体１０はスプリングチューブ２１によって剛性および可撓性を同時に保有できる。剛性は内視鏡管体１０の耐摩耗性を向上させ、内視鏡管体１０の使用寿命を伸ばすことができる。
【００１３】
抗張力ワイヤー３１は、一部分が撮像装置１１に連結され、別の一部分がスプリングチューブ２１を貫通して所定装置６１に連結される。
【００１４】
電線４１は、一端が撮像装置１１に接続され、他端がスプリングチューブ２１を貫通して所定装置６１に電気的に接続される。
【００１５】
本実施形態において、所定装置６１は筒状スリーブ６３および可撓性管部６５を有する。可撓性管部６５は一端が筒状スリーブ６３に連結され、他端が操作グリップ６７に接続される。可撓性管部６５は内部に複数の電線４１を有する。複数の電線４１は筒状スリーブ６３および操作グリップ６７に電気的に接続される。撮像装置１１は後端部１５から伸びて形成された連結部１９と、連結部１９に形成された第一ねじ山１９１とを有する。
筒状スリーブ６３は一端に固定部材６１３を有する。固定部材６１３は一部分が筒状スリーブ６３に入り込み、別の一部分が筒状スリーブ６３に露出し、かつ第二ねじ山６１４を有する。第二ねじ山６１４は固定部材６１３の筒状スリーブ６３に露出した部位の外側に位置する。スプリングチューブ２１は一端が第一ねじ山１９１に締め付けられ、他端が第二ねじ山６１４に締め付けられる。
【００１６】
上述したとおり、スプリングチューブ２１を連結部１９および固定部材６１３に連結する技術手段は締付方式であるが、これに限らず、接着方式または溶接方式であってもよく、スプリングチューブ２１を連結部１９および固定部材６１３に連結する連結方式は上述に限定されない。
【００１７】
筒状スリーブ６３は内壁に内側壁面６３１を有する。固定部材６１３は内側壁面６３１の一側に当接する。固定部材６１３と筒状スリーブ６３とは相互に締め付けられて固定される。可撓性管部６５は筒状スリーブ６３の内側壁面６３１の他側に当接し、外壁が筒状スリーブ６３の内壁に固定されるため、可撓性管部６５および固定部材６１３は筒状スリーブ６３の内側壁面６３１によって隔離される。
【００１８】
連結部１９は二つの第一穿孔１９３を有する。二つの第一穿孔１９３は連結部１９の前後を貫通する。固定部材６１３は二つの第二穿孔６１５を有する。二つの第二穿孔６１５は筒状スリーブ６３の軸方向に沿って固定部材６１３を貫通する。抗張力ワイヤー３１は環状を呈する。環状の抗張力ワイヤー３１は二つの第一穿孔１９３および二つの第二穿孔６１５を連絡するように配置される。
【００１９】
以上は第１実施形態についての説明である。続いて第１実施形態の作動状態について説明を進める。
【００２０】
図３および図４に示すように、内視鏡管体１０を使用する際、撮像装置１１を観察対象の内部に差し込むと同時に撮像を進める。移動中の撮像装置１１が傾いてカーブを経過するか、障害物に出会って方向転換する場合、撮像装置１１は図４に示すように可撓性のあるスプリングチューブ２１および外壁が円弧状を呈するカバー１３によって方向転換する。
カバー１３は前方に突出した突出壁面１１３を有するため、撮像レンズ１７は良好な保護性を有する。内視鏡管体１０はスプリングチューブ２１の剛性によって耐摩耗性を向上させ、スプリングチューブ２１の管内を保護することができるだけでなく、使用寿命を伸ばすことができる。
【００２１】
撮像作業が完了した後、観察対象の内部から撮像装置１１を徐々に抜き出し、障害物に接触して引っ掛かる場合、内視鏡管体１０の前方および後方へ内視鏡管体１０を軽く往復移動させれば内視鏡管体１０と障害物とを分離させることができる。或いは、内視鏡管体１０に対応する観察対象の外側の部分を揺らせば観察対象の内部に入り込んだ内視鏡管体１０は相対的に揺れて障害物から分離することができる。
撮像装置１１のカバー１３は円弧状を呈するため、先行技術と比べて本発明の撮像装置１１は何かに引っ掛かっても離脱しやすい。一方、観察対象の内部を観察する過程において内視鏡管体１０が何かに引っ掛かったことが原因で観察対象の内部を観察できなくなる場合、状況をあまり把握せず内視鏡管体１０を持続的に差し込むと、スプリングチューブ２１の断裂または変形が起こりやすい。スプリングチューブ２１が断裂または変形するとスプリングチューブ２１の内部の電子装置を破壊してしまう。それに対し、抗張力ワイヤーは張力に耐えるため、スプリングチューブ２１が引っ張られて断裂または変形してしまうことを抑制できる。
【００２２】
内視鏡管体１０において、撮像装置１１はカバー１３の外壁が円弧状を呈し、かつカバー１３の前方に突出した突出壁面１１３を有するため、方向変換効果および撮像レンズ１７に対する保護性が比較的良好である。よって、本発明は上述した目的を達成することができる。
【００２３】
本発明はさらに可撓性内管５１を備える。可撓性内管５１はスプリングチューブ２１内に配置される。
本発明において、剛性によって耐摩耗性を向上させるスプリングチューブ２１は内部に電気的に接続してある別の電子装置（図中未表示）を有するため、可撓性内管５１はスプリングチューブ２１とその内部の電子装置とを相互に接触させることを避けることができるだけでなく、内視鏡管体１０の作動に伴って埃がスプリングチューブ２１内に堆積することを抑制することができる。一方、作業環境に埃が発生しにくい場合、可撓性内管５１を配置しなくてもよい。つまり、可撓性内管５１は本発明の目的を達成するための必要な部材ではない。
【００２４】
本発明はさらにゴム部材を備える。ゴム部材の接着方式は図面で表示しにくいため、図面から省略する。ゴム部材はスプリングチューブ２１と第一ねじ山１９１および第二ねじ山６１４の連結部位に分布するように配置されるため、第一ねじ山１９１および第二ねじ山６１４とスプリングチューブ２１とを連結する際の安定性を増大させ、スプリングチューブ２１が引っ張られる際にスプリングチューブ２１の両端または任意の一端を第一ねじ山１９１および第二ねじ山６１４またはいずれか一つから逸脱させることを抑制することができる。
一方、作業環境にゴム部材を増設できないか、作業環境に内視鏡管体１０を強く引っ張る必要があまりない場合、ゴム部材は省略してもよい。
【００２５】
（第２実施形態）
図５および図６は第二実施形態による内視鏡管体１０’を示した模式図である。第一実施形態との違いは次の通りである。
【００２６】
第２実施形態において、所定装置６１’は（図１に示すような筒状スリーブ６３および可撓性管部６５を含まない）操作グリップ６７’を有する。電線４１’は操作グリッ６７’に電気的に接続される。抗張力ワイヤー３１’は操作グリップ６７’に連結される。第２実施形態の別の構造および達成した効果は第１実施形態と同じであるため、詳細な説明を省略する。
【符号の説明】
【００２７】
１０    内視鏡管体
１１    撮像装置
１１３  突出壁面
１２    光源
１３    カバー
１５    後端部
１７    撮像レンズ
１９    連結部
１９１  第一ねじ山
１９３  第一穿孔
２１    スプリングチューブ
３１    抗張力ワイヤー
４１    電線
５１    可撓性内管
６１    所定装置
６１３  固定部材
６１４  第二ねじ山
６１５  第二穿孔
６３    筒状スリーブ
６３１  内側壁面
６５    可撓性管部
６７    操作グリップ
１０’  内視鏡管体
２１’  弾性管体
３１’  抗張力ワイヤー
４１’  電線
６１’  所定装置
６７’  操作グリップ
【図１】
2018153623.tif 000003
【図２】
2018153623.tif 000004
【図３】
2018153623.tif 000005
【図４】
2018153623.tif 000006
【図５】
2018153623.tif 000007
【図６】
2018153623.tif 000008